(57)【要約】【課題】ハードディスク装置を取り外したり、発熱量のより少ないハードディスク装置に交換したりした場合に、それに合わせた冷却仕様の変更を簡便に行うことができる印刷装置を提供する。【解決手段】プリンター１００は、ＨＤＤユニットを装着する記憶媒体装着部３０と、記憶媒体装着部３０に装着されたＨＤＤユニットに通風する送風ファン５０と、ＨＤＤユニットが記憶媒体装着部３０に装着された装着状態を検知する装着検知部４０と、を備え、送風ファン５０が、装着検知部４０が検知した装着状態に応じて通風することを特徴とする。【選択図】図２
2017080947.tif 000002
【特許請求の範囲】
【請求項１】
記憶媒体ドライブユニットを装着する装着部と、
前記装着部に装着された前記記憶媒体ドライブユニットに通風する通風部と、
前記記憶媒体ドライブユニットが前記装着部に装着された装着状態を検知する検知部と、を備え、
前記通風部が、前記検知部が検知した前記装着状態に応じて通風することを特徴とする印刷装置。
【請求項２】
請求項１に記載の印刷装置であって、
前記検知部が、前記装着部に装着された前記記憶媒体ドライブユニットの通電状態を検知することにより、前記装着状態を検知することを特徴とする印刷装置。
【請求項３】
請求項１に記載の印刷装置であって、
前記装着部に装着される前記記憶媒体ドライブユニットと当接することにより変位する当接部材を備え、
前記検知部が、前記当接部材の変位を検知することにより、前記装着状態を検知することを特徴とする印刷装置。
【請求項４】
請求項１に記載の印刷装置であって、
前記検知部が、光を照射する照射部と前記光を受光する受光部とを備え、
前記受光部が受光する前記光の受光状態が、前記記憶媒体ドライブユニットが前記装着部に装着されることにより変化し、
前記検知部が、前記受光状態の変化を検知することにより、前記装着状態を検知することを特徴とする印刷装置。
【請求項５】
請求項１に記載の印刷装置であって、
前記記憶媒体ドライブユニットを前記装着部に対して挿抜可能に開口する開口部と、前記開口部を覆う可動式の蓋部と、を備え、
前記蓋部が、前記記憶媒体ドライブユニットが前記開口部に挿入されると、前記開口部を覆う位置から移動し、
前記検知部が、前記蓋部の移動を検知することにより、前記装着状態を検知することを特徴とする印刷装置。
【請求項６】
請求項１から請求項４のいずれか一項に記載の印刷装置であって、
前記記憶媒体ドライブユニットを前記装着部に対して挿抜可能に開口する開口部と、前記開口部を覆う可動式の蓋部と、を備え、
前記蓋部が、前記記憶媒体ドライブユニットが前記開口部に挿入されると、前記開口部を覆う位置から移動することを特徴とする印刷装置。
【請求項７】
請求項５または請求項６に記載の印刷装置であって、
前記蓋部が弾性部材を含み構成されていることを特徴とする印刷装置。
【請求項８】
請求項５から請求項７のいずれか一項に記載の印刷装置であって、
前記蓋部が透明部材により構成されていることを特徴とする印刷装置。
【請求項９】
請求項１から請求項８のいずれか一項に記載の印刷装置であって、
前記装着部が、前記記憶媒体ドライブユニットが電気的に接続されるコネクターを有する回路基板と、前記記憶媒体ドライブユニットの挿入をガイドするフレームと、を備え、
前記回路基板と前記フレームとは、それぞれが備える嵌合部材を嵌合させることにより位置決めされていることを特徴とする印刷装置。
【請求項１０】
記憶媒体ドライブユニットを装着する装着部と、
前記装着部に装着された前記記憶媒体ドライブユニットに通風する通風部と、
前記記憶媒体ドライブユニットが前記装着部に装着された装着状態を検知する検知部と、を備えた印刷装置の制御方法であって、
前記通風部が、前記検知部が検知した前記装着状態に応じて通風することを特徴とする印刷装置の制御方法。
【発明の詳細な説明】
【技術分野】
【０００１】
本発明は、印刷装置および印刷装置の制御方法に関する。
【背景技術】
【０００２】
印刷装置は、特許文献１に記載される画像形成装置のように、ハードディスク装置などの大容量の記憶媒体ドライブユニットを内蔵している場合がある。このような印刷装置によれば、記憶媒体に記憶されている画像データなどに基づいて印刷媒体に印刷を行うことができる。また、特許文献１に記載される画像形成装置は、吸気口から入った空気でハードディスク装置を冷却する冷却構造を有している。
【先行技術文献】
【特許文献】
【０００３】
【特許文献１】特開２００７−１５６０９８号公報
【発明の概要】
【発明が解決しようとする課題】
【０００４】
しかしながら、特許文献１に記載の画像形成装置は、ハードディスク装置が、画像形成装置を制御する電子機器の冷却構造（コントローラーユニット）の内部に収容されているため、ハードディスク装置の取り外しや交換を簡便に行うことができないという課題があった。また、冷却構造が、ハードディスク装置以外の電子機器を含めたコントローラーユニット全体を対象とした構成となっているため、ハードディスク装置を取り外したり、発熱量のより少ないハードディスク装置に交換したりした場合であっても、それに合わせた冷却仕様の変更を簡便に行うことができないという課題があった。
【課題を解決するための手段】
【０００５】
本発明は、上述の課題の少なくとも一部を解決するためになされたものであり、以下の適用例または形態として実現することが可能である。
【０００６】
［適用例１］  本適用例にかかる印刷装置は、記憶媒体ドライブユニットを装着する装着部と、前記装着部に装着された前記記憶媒体ドライブユニットに通風する通風部と、前記記憶媒体ドライブユニットが前記装着部に装着された装着状態を検知する検知部と、を備え、前記通風部が、前記検知部が検知した前記装着状態に応じて通風することを特徴とする。
【０００７】
本適用例によれば、検知部は、記憶媒体ドライブユニットが装着部に装着された装着状態を検知し、通風部は、検知部が検知した記憶媒体ドライブユニットの装着状態に応じて通風する。つまり、必要な場合に必要な通風を行うなど、記憶媒体ドライブユニットの装着状態に応じて、より適切な通風の制御を行うことができる。
【０００８】
［適用例２］  上記適用例にかかる印刷装置において、前記検知部が、前記装着部に装着された前記記憶媒体ドライブユニットの通電状態を検知することにより、前記装着状態を検知することを特徴とする。
【０００９】
本適用例のように、検知部が、装着された記憶媒体ドライブユニットの通電状態を検知することにより、記憶媒体ドライブユニットの装着状態を検知するように構成することが好ましい。このような構成とすることで、機械的な検知機構を新たに設ける必要が無い。
【００１０】
［適用例３］  上記適用例にかかる印刷装置において、前記装着部に装着される前記記憶媒体ドライブユニットと当接することにより変位する当接部材を備え、前記検知部が、前記当接部材の変位を検知することにより、前記装着状態を検知することを特徴とする。
【００１１】
本適用例のように、検知部が、装着される記憶媒体ドライブユニットと当接することにより変位する当接部材の変位を検知することにより装着状態を検知するように構成しても良い。このような構成は、簡単な当接部材の変位機構を設けることで実現することが可能で、また、このような構成によれば、確実に記憶媒体ドライブユニットの装着を検知することができる。
【００１２】
［適用例４］  上記適用例にかかる印刷装置において、前記検知部が、光を照射する照射部と前記光を受光する受光部とを備え、前記受光部が受光する前記光の受光状態が、前記記憶媒体ドライブユニットが前記装着部に装着されることにより変化し、前記検知部が、前記受光状態の変化を検知することにより、前記装着状態を検知することを特徴とする。
【００１３】
本適用例のように、検知部が、記憶媒体ドライブユニットが装着部に装着されることによって変化する光の受光状態を検知することにより装着状態を検知するように構成しても良い。このような構成は、光の照射部と、この光を受光する受光部の配置を工夫することにより、簡単な回路で実現が可能で、また、このような構成によっても、確実に記憶媒体ドライブユニットの装着を検知することができる。
【００１４】
［適用例５］  上記適用例にかかる印刷装置において、前記記憶媒体ドライブユニットを前記装着部に対して挿抜可能に開口する開口部と、前記開口部を覆う可動式の蓋部と、を備え、前記蓋部が、前記記憶媒体ドライブユニットが前記開口部に挿入されると、前記開口部を覆う位置から移動し、前記検知部が、前記蓋部の移動を検知することにより、前記装着状態を検知することを特徴とする。
【００１５】
本適用例によれば、開口部を介して、記憶媒体ドライブユニットを挿抜することが可能であり、記憶媒体ドライブユニットが装着されていない場合に、開口部を覆う蓋部によって、印刷装置の内部（装着部）に異物が入り込むことが防がれる。
また、検知部が、記憶媒体ドライブユニットが開口部に挿入されることによって移動する蓋部の移動を検知することにより、装着状態を検知する。つまり、挿抜の状態（記憶媒体ドライブユニットの有無）を検知することができる。蓋部の一部を検知部として構成できるため、より合理的に装置を構成できる。
【００１６】
［適用例６］  適用例１から適用例４にかかる印刷装置において、前記記憶媒体ドライブユニットを前記装着部に対して挿抜可能に開口する開口部と、前記開口部を覆う可動式の蓋部と、を備え、前記蓋部が、前記記憶媒体ドライブユニットが前記開口部に挿入されると、前記開口部を覆う位置から移動することを特徴とする。
【００１７】
本適用例によれば、開口部を介して、記憶媒体ドライブユニットを挿抜することが可能であり、記憶媒体ドライブユニットが装着されていない場合に、開口部を覆う蓋部によって、印刷装置の内部（装着部）に異物が入り込むことが防がれる。
【００１８】
［適用例７］  上記適用例にかかる印刷装置において、前記蓋部が弾性部材を含み構成されていることを特徴とする。
【００１９】
本適用例によれば、蓋部が弾性部材を含み構成されているため、開口部に挿入される記憶媒体ドライブユニットが蓋部に当接し、蓋部の弾性部材が撓むことによって移動するように構成することができる。つまり、記憶媒体ドライブユニットが開口部に挿入されると、蓋部が開口部を覆う位置から移動する機構を簡便に構成することができる。
【００２０】
［適用例８］  上記適用例にかかる印刷装置において、前記蓋部が透明部材により構成されていることを特徴とする。
【００２１】
本適用例によれば、開口部を覆う蓋部が透明部材により構成されているため、蓋部を通してその内部（例えば装着部の装着位置）が視認できるようになる。
【００２２】
［適用例９］  上記適用例にかかる印刷装置において、前記装着部が、前記記憶媒体ドライブユニットが電気的に接続されるコネクターを有する回路基板と、前記記憶媒体ドライブユニットの挿入をガイドするフレームと、を備え、前記回路基板と前記フレームとは、それぞれが備える嵌合部材を嵌合させることにより位置決めされていることを特徴とする。
【００２３】
本適用例によれば、記憶媒体ドライブユニットの挿入をガイドするフレームと、記憶媒体ドライブユニットが電気的に接続されるコネクターとの相対位置を所定の位置関係とすることができるため、記憶媒体ドライブユニットの挿抜がスムーズに行える構成とすることができる。
【００２４】
［適用例１０］  本適用例にかかる印刷装置の制御方法は、記憶媒体ドライブユニットを装着する装着部と、前記装着部に装着された前記記憶媒体ドライブユニットに通風する通風部と、前記記憶媒体ドライブユニットが前記装着部に装着された装着状態を検知する検知部と、を備えた印刷装置の制御方法であって、前記通風部が、前記検知部が検知した前記装着状態に応じて通風することを特徴とする。
【００２５】
本適用例によれば、記憶媒体ドライブユニットの装着状態に応じて記憶媒体ドライブユニットに通風するため、必要な場合に必要な通風を行うことができるようになる。
【図面の簡単な説明】
【００２６】
【図１】実施形態１に係る印刷装置の斜視図
【図２】実施形態１に係る印刷装置の構成を示すブロック図
【図３】ＨＤＤユニットの平面図
【図４】ＨＤＤユニット（図３）のＡ−Ａ断面図
【図５】記憶媒体装着部の要部を示す斜視図
【図６】蓋部（可動内蓋）が移動する様子を示す模式図
【図７】装着検知部を構成する回路、および送風ファンを駆動する回路の構成を示す回路図
【図８】実施形態２に係る検知部を示す模式図
【図９】実施形態２に係る検知部を示す模式図
【図１０】実施形態３に係る検知部を示す模式図
【図１１】ＨＤＤユニットのタイプをその通電状態によって識別するための例を示す模式図
【発明を実施するための形態】
【００２７】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。また、図面に付記する座標においては、Ｚ軸方向が上下方向、＋Ｚ方向が上方向、Ｙ軸方向が前後方向、＋Ｙ方向が前方向、Ｘ軸方向が左右方向、＋Ｘ方向が左方向、Ｘ−Ｙ平面が水平面としている。
【００２８】
（実施形態１）
図１は、実施形態１に係る「印刷装置」としてのプリンター１００の斜視図、図２は、プリンター１００の構成を示すブロック図である。
プリンター１００は、例えば、ＪＩＳ規格のＡ０判やＢ０判などといった比較的大きなサイズの印刷媒体（用紙）に印刷が可能な大型のインクジェット式プリンターであり、印刷部１０、搬送部２０、「装着部」としての記憶媒体装着部３０、「検知部」としての装着検知部４０、「通風部」としての送風ファン５０、制御部６０、操作パネル７０、検出部８０（図２参照）などから構成されている。
印刷媒体（図１に示すロール紙１）は、ロール状に巻かれた状態で供給される。
【００２９】
印刷部１０は、ロール紙１の表面にインクを吐出して画像を形成（印刷）するインクジェットヘッドとしてのヘッド１１、ロール紙１の幅方向（Ｘ軸方向）に延在するように設けられたガイド軸１２、ヘッド１１を支持し、ガイド軸１２に沿ってロール紙１の表面上をＸ軸方向に走査移動させるキャリッジ１３、印刷部１０において、ロール紙１を支持する支持機構１４などを備えている。
【００３０】
記憶媒体装着部３０は、ハードディスクドライブ（ＨＤＤ）などの書き換え可能な記憶媒体を駆動する「記憶媒体ドライブユニット」を挿抜可能に装着する部分である。記憶媒体ドライブユニットとしては、ＤＶＤ（Digital Versatile Disc）やＢＤ（Blu-ray Disc（登録商標））、また、メモリーカードを駆動するユニットであっても良い。これらの記憶媒体には、制御部６０が動作するソフトウェア（プログラム）や印刷ジョブなどを記憶させることができる。
印刷ジョブは、印刷を実行させるための一連の要求情報（印刷用の印刷データを含む制御コマンドなど）である。
【００３１】
制御部６０は、インターフェイス部６１、ＣＰＵ６２、メモリー６３、駆動制御部６４などを備え、プリンター１００全体の集中制御を行う。
インターフェイス部６１は、外部機器（例えばパーソナルコンピューター）とプリンター１００との間でデータの送受信を行う。
ＣＰＵ６２は、プリンター１００全体の制御を行うための演算処理装置である。
メモリー６３は、ＣＰＵ６２が動作するプログラムを格納したり、必要な情報を記録したりする領域であり、ＲＡＭ、ＲＯＭ、フラッシュメモリーなどの記憶素子で構成される。
【００３２】
ＣＰＵ６２は、記憶媒体装着部３０に装着される記憶媒体やメモリー６３に格納されているプログラム、印刷ジョブなどに従って、駆動制御部６４や、検出部８０を、また、駆動制御部６４を介し、印刷部１０、搬送部２０、送風ファン５０などを制御する。
操作パネル７０は、ヒューマンインターフェースとしての入出力部であり、表示手段と入力手段とを備え、制御部６０に対する指示や動作の選択、制御部６０の動作における必要な制御情報の表示などを行うことができる。
【００３３】
検出部８０は、印刷部１０、搬送部２０など、装置本体内部の所定の箇所に設けられた複数の検出機器群（例えば、リニア式エンコーダー、ロータリー式エンコーダー、光学センサーなど）から成り、プリンター１００内の稼動状況を検出（監視）し、その検出結果を制御部６０に通知する。具体的には、ガイド軸１２に沿って走査移動するキャリッジ１３の位置、搬送部２０におけるロール紙１の幅方向（図１におけるＸ軸方向）のセット位置や搬送状況（ジャムの有無など）、ロール紙１の有無や残量、印刷部１０におけるインクの有無や残量などを監視する。
【００３４】
搬送部２０は、装置本体の内部に格納された印刷前のロール紙１を印刷部１０に供給し、印刷が行われた後に、切り離して排出するまでの搬送機構および経路を構成している。搬送部２０によって印刷部１０に供給されたロール紙１に対し、制御部６０は、ガイド軸１２に沿ってヘッド１１を支持するキャリッジ１３を走査方向（Ｘ軸方向）に移動させながらヘッド１１からインク滴を吐出する動作と、搬送部２０により走査方向（Ｘ軸方向）と交差する搬送方向（＋Ｙ方向）にロール紙１を移動させる動作とを交互に繰り返すことにより、ロール紙１に所望の画像を形成（印刷）する。
【００３５】
次に、本実施形態を特徴付ける記憶媒体装着部３０の詳細を、装着する記憶媒体ドライブユニットがハードディスクドライブユニット９０（以下ＨＤＤユニット９０と言う。）の場合を例にして説明する。
図３は、ＨＤＤユニット９０の平面図、図４は、ＨＤＤユニット９０の図３のＡ−Ａ断面図である。
ＨＤＤユニット９０は、ハードディスクドライブ９１（以下ＨＤＤ９１）、コネクター９２、サブ基板９３、外ケース９５、内ケース９６などから構成されている。
【００３６】
コネクター９２は、ＨＤＤ９１とサブ基板９３とを電気的に接続している。ＨＤＤユニット９０が記憶媒体装着部３０に装着されると、ＨＤＤ９１は、サブ基板９３に形成されている雄型のコネクター９４を介して制御部６０と電気的に接続される。
【００３７】
外ケース９５は、ＨＤＤ９１の一方の面からＨＤＤ９１を囲うように内部に収容するケースであり、内ケース９６は、外ケース９５の側板の内側において、ＨＤＤ９１を他方の面からＨＤＤ９１を囲うように内部に収容するケースである。
ＨＤＤ９１は、図４に示すように、外ケース９５および内ケース９６との間に間隙を有するように外ケース９５に固定される。
また、外ケース９５および内ケース９６のＨＤＤ９１と対向するそれぞれの面には、ＨＤＤ９１への通風（図４に白抜き矢印で示す風を通すこと）を容易とするための通風孔９７が複数設けられている。
【００３８】
図５は、記憶媒体装着部３０の要部を示す斜視図である。
記憶媒体装着部３０は、プリンター１００本体の背面部において、ＨＤＤユニット９０の挿抜を可能とする構造体であり、フレームブロック３１、回路基板３２などから構成されている。
【００３９】
フレームブロック３１は、金属フレームによって構成され、ＨＤＤユニット９０の挿入をガイドするフレーム３３、ＨＤＤユニット９０を挿抜可能に開口する開口部３４、送風ファン５０を収容し固定する送風ファン固定部３５などを有している。なお、本実施形態におけるフレームブロック３１は単一の金属フレームによって構成されているが、複数の金属フレームを組み合わせた構成としてもよい。また、樹脂や木材等、金属以外のフレームによってフレームブロック３１を構成してもよい。
フレームブロック３１は、プリンター１００本体の背面部に固定され、開口部３４が上方（＋Ｚ方向）に、送風ファン固定部３５に固定された送風ファン５０の排気口が背面側（−Ｙ方向）に位置するように設けられている。また、フレームブロック３１は、開口部３４及び排気口がプリンター１００本体から外側に露出するように設けられる。
【００４０】
フレーム３３は、ＨＤＤユニット９０の側面部（図４においてＡを付記している部分）を両側からガイドするように設けられた１対の枠部材であり、図５に示す白抜き矢印で示される方向で挿入されるＨＤＤユニット９０に対して、Ｘ軸方向、およびＹ軸方向において、ＨＤＤユニット９０の動きを規制し、ＨＤＤユニット９０が、所定の方向に挿入され、所定の位置に装着されるように導く。ＨＤＤユニット９０が所定の向きで挿入されると、コネクター９４が、回路基板３２が有するコネクター３６に入るように導かれる。
【００４１】
また、１対のフレーム３３は、それぞれの下端部に、回路基板３２とフレーム３３とを所定の位置関係に連結するための「嵌合部材」を構成する底板３７を有している。底板３７は、回路基板３２と対向する面を成すフレーム３３と一体の板片であり、後述する回路基板３２が有する「嵌合部材」としてのポスト３９が挿入される（嵌合する）嵌合孔３７Ａを備えている。
【００４２】
開口部３４は、フレームブロック３１の天部３０Ａにおいて、フレーム３３によって形成されるＨＤＤユニット９０の挿抜経路の延長上に形成された開口である。開口部３４は、ＨＤＤユニット９０が開口部３４に挿入されると、開口部３４を覆う位置から移動する「蓋部」としての可動内蓋３８を備えている。
【００４３】
図６は、可動内蓋３８が移動する様子を示す模式図である。
可動内蓋３８は、弾性を有する透明なフィルムで構成されており、−Ｙ側の端部が、フレームブロック３１の内側において、天部３０Ａに固定（接着）されている。
可動内蓋３８は、図６に示すように、ＨＤＤユニット９０が開口部３４に挿入されると、弾性により変形し、開口部３４を解放（つまり、開口部３４を覆う位置から移動）する。また、可動内蓋３８は、ＨＤＤユニット９０が抜き取られると、弾性により、開口部３４を覆う位置に復元する。可動内蓋３８には、好適例として、ポリエステルフィルム（東レ株式会社製ルミラー（登録商標））を用いている。
【００４４】
なお、必ずしも、可動内蓋３８の全体を、弾性を有するフィルムで構成しなくても良い。例えば、ＨＤＤユニット９０が挿入されると屈曲する部分にのみ弾性材を用い、開口部３４を覆う部分には、弾性を有さないガラスなどを用いる構成であっても良い。
【００４５】
送風ファン固定部３５は、図５に示すように、１対のフレーム３３の−Ｙ側に設けられている。送風ファン固定部３５は、送風ファン５０を固定するための固定板３５Ｂを備えており、固定板３５Ｂは、通風を可能とする開口３５Ａを有している。
送風ファン５０は、ファンの回転面が、開口３５Ａを間に介して、記憶媒体装着部３０に装着されたＨＤＤユニット９０の通風孔９７が設けられた内ケース９６の面と対向するように、固定板３５Ｂの−Ｙ側に取り付けられる。
【００４６】
回路基板３２は、記憶媒体装着部３０に装着されたＨＤＤユニット９０の通電状態を検知することによりＨＤＤユニット９０の装着状態（装着の有無）を検知する装着検知部４０を構成する回路、コネクター３６、および、回路基板３２とフレーム３３とを所定の位置関係に連結するための「嵌合部材」を構成するポスト３９を有している。
【００４７】
コネクター３６は、ＨＤＤユニット９０のコネクター９４に対応する雌型コネクターである。コネクター３６は、回路基板３２に設けられた回路により、ＨＤＤ９１を制御部６０に電気的に接続する。また、コネクター３６を介し、ＨＤＤユニット９０の通電状態を、装着検知部４０を構成する回路に伝達する。
【００４８】
ポスト３９は、記憶媒体装着部３０および回路基板３２が所定の位置に固定されたときに、底板３７が有する嵌合孔３７Ａに挿入される位置に配置された嵌合部材である。すなわち、固定された回路基板３２に対して、所定の位置関係で記憶媒体装着部３０を設置する場合、あるいはその逆に、固定された記憶媒体装着部３０に対して、所定の位置関係で回路基板３２を設置する場合に、底板３７（嵌合孔３７Ａ）とポスト３９とを嵌合させながら行うことができる。
【００４９】
なお、本実施形態において、回路基板３２には、１つのポスト３９が設けられている。仮に、ポスト３９が複数あると、ポスト３９同士の部品公差等によって、回路基板３２と記憶媒体装着部３０との位置決めがしにくくなる。したがって、ポスト３９を１つとすることで、回路基板３２と記憶媒体装着部３０との位置決めがしやすくなる。ただし、ポスト３９を複数設けてもよい。ポスト３９を複数設ければ、１つのポスト３９に掛かる負荷を軽減することができる。
また、ポスト３９を回路基板３２とは別体とし、回路基板３２にポスト３９を取り付ける構成としてもよい。その場合は、例えば、回路基板３２に設けた穴にポスト３９を通すことによって、ポスト３９が回路基板３２に装着される。
【００５０】
図７は、装着検知部４０を構成する回路、および送風ファン５０を駆動する回路６４Ａ（駆動制御部６４の一部）の構成を示す回路図である。
本実施形態における装着検知部４０は、記憶媒体装着部３０に装着されたＨＤＤユニット９０の通電状態を検知することによりＨＤＤユニット９０の装着状態（装着の有無）を検知する。
【００５１】
図７に示すように、ＨＤＤユニット９０が有するサブ基板９３には、記憶媒体装着部３０にＨＤＤユニット９０が装着されたときに、コネクター３６に接続される所定の２端子をショート状態にする回路パターンが形成されている。所定の２端子がショートすることによって変化するレベルを検知する回路により、ＨＤＤユニット９０の装着状態（装着の有無）を検知することができる。図７に示す例では、ＨＤＤユニット９０を装着することで、インバーター４１の出力が、ＬｏｗからＨｉｇｈに変化する。
送風ファン５０を駆動する回路６４Ａは、インバーター４１のＨｉｇｈ出力を受けると、スイッチングトランジスター４２がＯＮして、接続される送風ファン５０に電力が供給される。つまり、プリンター１００によれば、送風ファン５０は、装着検知部４０が検知したＨＤＤユニット９０の装着状態に応じてＯＮ／ＯＦＦする制御が行われる。具体的には、送風ファン５０は、ＨＤＤユニット９０が装着された状態でＯＮとなり、ＨＤＤユニット９０が装着されない状態でＯＦＦとなるように制御される。
【００５２】
以上述べたように、本実施形態による印刷装置および印刷装置の制御方法によれば、以下の効果を得ることができる。
装着検知部４０は、ＨＤＤユニット９０が記憶媒体装着部３０に装着された装着状態を検知し、送風ファン５０は、装着検知部４０が検知したＨＤＤユニット９０の装着状態に応じて通風する。つまり、必要な場合に必要な通風を行うなど、ＨＤＤユニット９０の装着状態に応じて、より適切な通風の制御を行うことができる。
【００５３】
また、装着検知部４０が、記憶媒体装着部３０に装着されたＨＤＤユニット９０の通電状態を検知することにより、装着状態を検知するため、機械的な検知機構を新たに設ける必要が無い。
【００５４】
また、ＨＤＤユニット９０を記憶媒体装着部３０に対して挿抜可能に開口する開口部３４と、開口部３４を覆う可動式の可動内蓋３８とを備えているため、開口部３４を介して、ＨＤＤユニット９０を挿抜することが可能であり、ＨＤＤユニット９０が装着されていない場合に、開口部３４を覆う可動内蓋３８によって、プリンター１００の内部（記憶媒体装着部３０）に異物が入り込むことが防がれる。
【００５５】
また、可動内蓋３８が弾性部材を含み構成されているため、開口部３４に挿入されるＨＤＤユニット９０が可動内蓋３８に当接し、可動内蓋３８の弾性部材が撓むことによって移動するように構成することができる。つまり、ＨＤＤユニット９０が開口部３４に挿入されると、可動内蓋３８が開口部３４を覆う位置から移動する機構を簡便に構成することができる。
【００５６】
また、開口部３４を覆う可動内蓋３８が透明部材により構成されているため、可動内蓋３８を通してその内部（例えば記憶媒体装着部３０の装着位置）が視認できるようになる。
【００５７】
また、回路基板３２とフレーム３３とは、それぞれが備える嵌合部材を嵌合させることにより所定の位置関係に設置することができる。ＨＤＤユニット９０の挿入をガイドするフレーム３３と、ＨＤＤユニット９０が電気的に接続されるコネクター３６との相対位置を所定の位置関係とすることができるため、ＨＤＤユニット９０の挿抜がスムーズに行える構成とすることができる。
【００５８】
また、本実施形態の制御方法によれば、必要な場合に必要な通風を行うなど、ＨＤＤユニット９０の装着状態に応じて、より適切な通風の制御を行うことができる。
【００５９】
（実施形態２）
次に、実施形態２に係る印刷装置について説明する。なお、説明にあたり、上述した実施形態と同一の構成部位については、同一の符号を使用し、重複する説明は省略する。
図８、図９は、実施形態２に係る「検知部」を示す模式図である。
実施形態１では、検知部としての装着検知部４０が、記憶媒体装着部３０に装着されたＨＤＤユニット９０の通電状態を検知することによりＨＤＤユニット９０の装着状態（装着の有無）を検知したが、実施形態２は、印刷装置が、記憶媒体装着部３０に装着されるＨＤＤユニット９０と当接することにより変位する当接部材を備え、検知部が、当接部材の変位を検知することにより、装着状態を検知することを特徴としている。つまり、実施形態２は、検知部の構成のみが実施形態１と異なる。
【００６０】
本実施形態のプリンター１００は、検知部として、マイクロスイッチ４３を備えている。マイクロスイッチ４３は、直接、送風ファン５０のＯＮ／ＯＦＦを行うスイッチとして設けられている。具体的には、ＨＤＤユニット９０が装着された状態で送風ファン５０がＯＮとなり、ＨＤＤユニット９０が装着されない状態で送風ファン５０がＯＦＦとなるように、マイクロスイッチ４３が作動する。
図８に示す例では、マイクロスイッチ４３は、可動内蓋３８の移動（固定部分を支点とした回動）に伴いスイッチングが行われる位置に設置されている。つまり、ＨＤＤユニット９０と当接することにより変位する「当接部材」に可動内蓋３８を用いている。
【００６１】
また、図９に示す例では、マイクロスイッチ４３は、フレーム３３によって形成されるＨＤＤユニット９０の挿抜経路に設けられている。挿抜経路に進入するＨＤＤユニット９０と当接することにより変位する「当接部材」として、可動バネ部材４４がマイクロスイッチ４３に取り付けられており、ＨＤＤユニット９０の挿抜に応じてマイクロスイッチ４３がＯＮ／ＯＦＦする。
【００６２】
本実施形態のように、検知部が、装着されるＨＤＤユニット９０と当接することにより変位する当接部材の変位を検知することにより装着状態を検知するように構成しても良い。このような構成は、簡単な当接部材の変位機構を設けることで実現することが可能で、また、このような構成によれば、確実にＨＤＤユニット９０の装着を検知することができる。
【００６３】
（実施形態３）
次に、実施形態３に係る印刷装置について説明する。なお、説明にあたり、上述した実施形態と同一の構成部位については、同一の符号を使用し、重複する説明は省略する。
図１０は、実施形態３に係る「検知部」を示す模式図である。
実施形態３は、検知部として、光を照射する照射部４５Ａと、この光を受光する受光部４５Ｂとを備え、受光部４５Ｂが受光する光の受光状態が、ＨＤＤユニット９０が記憶媒体装着部３０に装着されることにより変化し、検知部が、受光状態の変化を検知することにより、装着状態を検知することを特徴とする。つまり、実施形態３も、検知部の構成のみが実施形態１と異なる。
【００６４】
具体的には、照射部４５Ａ、および受光部４５Ｂを備える透過型フォトマイクロセンサー４５を回路基板３２上に設け、ＨＤＤユニット９０の装着に伴って、ＨＤＤユニット９０の外ケース９５の下端部が透過型フォトマイクロセンサー４５の検出位置に挿入される構成としている。
【００６５】
本実施形態のように、検知部が、ＨＤＤユニット９０が記憶媒体装着部３０に装着されることによって変化する光の受光状態を検知することにより、装着状態を検知するように構成しても良い。具体的には、受光状態に基づいて、ＨＤＤユニット９０が装着された状態で送風ファン５０がＯＮとなり、ＨＤＤユニット９０が装着されない状態で送風ファン５０がＯＦＦとなるように、制御が行われる。このような構成は、簡単な回路で実現が可能で、また、このような構成によっても、確実にＨＤＤユニット９０の装着を検知することができる。
【００６６】
なお、本発明は、上述した実施形態に限定されず、上述した実施形態に種々の変更や改良などを加えることが可能である。変形例を以下に述べる。ここで、上述した実施形態と同一の構成部位については、同一の符号を使用し、重複する説明は省略している。
【００６７】
（変形例１）
実施形態１では、装着状態として、ＨＤＤユニット９０の装着の有無を検知し、送風ファン５０のＯＮ／ＯＦＦの制御を行ったが、装着されるＨＤＤユニット９０のタイプを検知し、タイプに対応した通風仕様の制御を行う構成（方法）であっても良い。
【００６８】
図１１は、ＨＤＤユニット９０のタイプをその通電状態によって識別するための例を示す模式図である。
ＨＤＤユニット９０は、冷却すべき発熱量の違いによっていくつかのタイプに分けることができる。また、そのタイプの識別は、それぞれのＨＤＤユニット９０が有するサブ基板９３（９３Ａ〜９３Ｄ）によって行うことができる。
具体的には、サブ基板９３には、ＨＤＤユニット９０が記憶媒体装着部３０に装着されたときに、コネクター３６に接続される所定の端子を接地レベル（ＧＮＤ）とショート状態にする回路パターンが形成されている。ショートする端子は、図１１に示すように、サブ基板９３に形成するパターンによって、ＨＤＤユニット９０のタイプ毎に異なる端子とすることができる。
【００６９】
接地レベル（ＧＮＤ）とショートすることによってレベルの変化する端子を検知する回路を回路基板３２に設けることより、ＨＤＤユニット９０のタイプを検知することができる。駆動制御部６４は、検知したＨＤＤユニット９０のタイプによって、必要充分な通風を行う送風ファン５０の制御を行うことが可能となる。例えば、ＨＤＤユニット９０が装着された場合であっても、冷却の必要が無いＨＤＤユニット９０の場合には、送風ファン５０をＯＮにしない、あるいは、ＯＮにしてもその風量を最小限に抑えるなどの制御を行うことができる。
【符号の説明】
【００７０】
１…ロール紙、１０…印刷部、１１…ヘッド、１２…ガイド軸、１３…キャリッジ、１４…支持機構、２０…搬送部、３０…記憶媒体装着部、３０Ａ…天部、３１…フレームブロック、３２…回路基板、３３…フレーム、３４…開口部、３５…送風ファン固定部、３５Ａ…開口、３５Ｂ…固定板、３６…コネクター、３７…底板、３７Ａ…嵌合孔、３８…可動内蓋、３９…ポスト、４０…装着検知部、４１…インバーター、４２…スイッチングトランジスター、４３…マイクロスイッチ、４４…可動バネ部材、４５…透過型フォトマイクロセンサー、４５Ａ…照射部、４５Ｂ…受光部、５０…送風ファン、６０…制御部、６１…インターフェイス部、６２…ＣＰＵ、６３…メモリー、６４…駆動制御部、６４Ａ…回路、７０…操作パネル、８０…検出部、９０…ＨＤＤユニット、９１…ＨＤＤ、９２…コネクター、９３…サブ基板、９４…コネクター、９５…外ケース、９６…内ケース、９７…通風孔、１００…プリンター。
【図１】
2017080947.tif 000003
【図２】
2017080947.tif 000004
【図３】
2017080947.tif 000005
【図４】
2017080947.tif 000006
【図５】
2017080947.tif 000007
【図６】
2017080947.tif 000008
【図７】
2017080947.tif 000009
【図８】
2017080947.tif 000010
【図９】
2017080947.tif 000011
【図１０】
2017080947.tif 000012
【図１１】
2017080947.tif 000013